(57)【要約】【課題】着信があった場合に、当該着信の宛先に関する情報を表示装置１１に表示させる着信通知装置２０を提供する。【解決手段】着信通知装置２０は、発信側の電話機１６の電話番号を、受信者情報に対応付けて格納する表示情報格納部２０８と、電話網１４を介して送信された、発信側の電話機１６の電話番号を受信する電話番号受信部２０４と、電話番号受信部２０４が発信側の電話機１６の電話番号を受信した場合に、受信した電話番号に基づいて表示情報格納部２０８を参照し、対応する表示情報を抽出する表示情報抽出部２０２と、表示情報抽出部２０２が抽出した表示情報を、表示装置１１に表示させる表示制御部２００とを備えることを特徴とする。【選択図】図２
2006217499.tif 000002
【特許請求の範囲】
【請求項１】
所定の電話端末への電話着信を、受信側の電話端末のユーザに通知する着信通知装置であって、
前記受信側の電話端末のユーザに関する情報を表示情報として、発信側の電話端末の電話番号に対応付けて格納する表示情報格納部と、
通信回線を介して前記発信側の電話端末の電話番号を受信する電話番号受信部と、
前記電話番号受信部が受信した電話番号に基づいて前記表示情報格納部を参照し、前記電話番号受信部が受信した電話番号に対応する表示情報を抽出する表示情報抽出部と、
前記表示情報抽出部が抽出した表示情報を、表示装置に表示させる表示制御部と
を備えることを特徴とする着信通知装置。
【請求項２】
所定の情報端末への電子メール着信を、前記電子メールの受信者に通知する着信通知装置であって、
前記受信者に関する情報を表示情報として、発信側の情報端末の電子メールアドレスに対応付けて格納する表示情報格納部と、
通信回線を介して前記発信側の電子メールアドレスを受信する電子メールアドレス受信部と、
前記電子メールアドレス受信部が受信した電子メールアドレスに基づいて前記表示情報格納部を参照し、前記電子メールアドレス受信部が受信した電子メールアドレスに対応する表示情報を抽出する表示情報抽出部と、
前記表示情報抽出部が抽出した表示情報を、表示装置に表示させる表示制御部と
を備えることを特徴とする着信通知装置。
【請求項３】
所定のＦＡＸ端末へのＦＡＸ着信を、対応する受信者へ通知する着信通知装置であって、
発信側のＦＡＸ端末のＦＡＸ番号を、前記受信者に関する情報である受信者情報に対応付けて格納する表示情報格納部と、
通信回線を介して、前記発信側のＦＡＸ端末のＦＡＸ番号を受信するＦＡＸ番号受信部と、
前記ＦＡＸ番号受信部が受信したＦＡＸ番号に基づいて前記表示情報格納部を参照し、対応する表示情報を抽出する表示情報抽出部と、
前記表示情報抽出部が抽出した表示情報を、表示装置に表示させる表示制御部と
を備えることを特徴とする着信通知装置。
【請求項４】
所定の電話端末への電話着信、所定のＦＡＸ端末へのＦＡＸ着信、および所定の情報端末への電子メール着信を、対応する受信者へ通知する着信通知装置であって、
発信側の電話端末の電話番号、発信側のＦＡＸ端末のＦＡＸ番号、および発信側の情報端末の電子メールアドレスのうち少なくとも１つの情報を、前記受信者に関する情報である表示情報に対応付けて格納する表示情報格納部と、
通信回線を介して、前記発信側の電話番号を受信する電話番号受信部と、
通信回線を介して、前記発信側のＦＡＸ番号を受信するＦＡＸ番号受信部と、
通信回線を介して、前記発信側の電子メールアドレスを受信する電子メールアドレス受信部と、
前記電話番号受信部が受信した電話番号、前記ＦＡＸ番号受信部が受信したＦＡＸ番号、または前記電子メールアドレス受信部が受信した電子メールアドレスに基づいて前記表示情報格納部を参照し、対応する表示情報を抽出する表示情報抽出部と、
前記表示情報抽出部が抽出した表示情報を、表示装置に表示させる表示制御部と
を備えることを特徴とする着信通知装置。
【請求項５】
請求項４に記載の着信通知装置であって、
電子メールの本文を受信する電子メール本文受信部と、
前記電子メールアドレス受信部が受信した前記発信側の情報端末の電子メールアドレスが、前記表示情報格納部に格納されていない場合に、前記電子メールの本文を参照して、電話番号またはＦＡＸ番号の抽出を試みる番号抽出部と、
前記番号抽出部が電話番号またはＦＡＸ番号を抽出することができた場合、前記表示情報抽出部に、抽出できた電話番号またはＦＡＸ番号に基づいて、対応する表示情報を抽出させる抽出指示部と
をさらに備えることを特徴とする着信通知装置。
【請求項６】
請求項５に記載の着信通知装置であって、
前記番号抽出部は、
前記電子メールアドレスが、前記表示情報格納部に格納されている場合に、当該電子メールアドレスに電話番号およびＦＡＸ番号が対応付けられているか否かを判定し、
当該電子メールアドレスに電話番号またはＦＡＸ番号が対応付けられていない場合に、前記電子メールの本文を参照して、電話番号またはＦＡＸ番号の抽出を試み、
電話番号またはＦＡＸ番号を抽出することができた場合に、抽出した電話番号またはＦＡＸ番号を、当該電子メールアドレスに対応付けて前記表示情報格納部に格納させることを特徴とする着信通知装置。
【請求項７】
請求項１から６のいずれかに記載の着信通知装置であって、
前記表示制御部は、
外部に設けられた画像出力装置から画像信号を取得し、前記表示情報抽出部が抽出した表示情報を、当該取得した画像信号に切り替えまたは合成することにより、前記表示装置に表示させる着信画像を生成し、生成した着信画像を前記表示装置に表示させることを特徴とする着信通知装置。
【請求項８】
電話機への電話の着信、ＦＡＸ端末へのＦＡＸの着信、および電子メールを受信する機能のうち少なくとも１つの機能を有する情報端末への前記電子メールの着信を、対応する受信者へ通知する着信通知装置を制御する着信通知制御プログラムであって、
前記着信通知装置を、
発信側の情報端末の識別情報を、前記受信者に関する情報である受信者情報に対応付けて格納する表示情報格納機能、
前記発信側の情報端末の識別情報を受信する識別情報受信機能、
前記識別情報受信機能が受信した前記識別情報に基づいて前記表示情報格納機能を参照し、対応する表示情報を抽出する表示情報抽出機能、および
前記表示情報抽出機能が抽出した表示情報を、表示装置に表示させる表示制御機能
として機能させ、
前記表示情報格納機能は、
電話機の電話番号、発信側のＦＡＸ端末のＦＡＸ番号、および発信側の情報端末の電子メールアドレスのうち少なくとも１つの情報を、前記受信者情報に対応付けて格納し、
前記識別情報受信機能は、
通信回線を介して前記発信側から自身宛に発信された、前記発信側の電話番号を前記識別情報として受信する電話番号受信機能、前記発信側のＦＡＸ番号を前記識別情報として受信するＦＡＸ番号受信機能、および前記発信側の電子メールアドレスを前記識別情報として受信する電子メールアドレス受信機能のうちの少なくとも１つの機能を有すること
を特徴とする着信通知制御プログラム。
【発明の詳細な説明】
【技術分野】
【０００１】
本発明は、通信回線を介して到着した着信に関する情報を通知する技術に関する。
【背景技術】
【０００２】
従来、発信側の電話機の番号を、電話回線を介して、着信側の電話機に通知する発信番号通知サービスが知られている。当該サービスを利用すると、着信に応答する前に、発信側の電話番号を知ることができ、着信に応答する前に応答者は、当該着信に対する対応を検討することができる。しかし、従来、発信番号通知サービスによって送信された発信側の電話番号は、電話機に設けられた画面に表示されている。このため、着信があった場合、応答者は、電話機が配置されている場所へ行くまでは、着信に応答するか否かを決定することができなかった。
【０００３】
これを回避するために、電話回線を介して送信された発信者番号を、テレビに表示する受信用端末装置が知られている（例えば、特許文献１参照。）。当該特許文献では、電話回線を介して送信された発信者番号を、テレビに設けられたＣＰＵが受信し、受信した発信者番号に対応する情報を、アンテナから入力されるテレビ画像にスーパーインポーズして、画面に表示させる。これにより、テレビを見ている最中に電話の着信があった場合には、テレビの画面に表示された、発信者番号に対応する情報を知ることができ、電話機が配置されている場所まで移動することなく、着信に応答するか否かを決定することができた。
【０００４】
【特許文献１】特開平９−１３９７７９号公報
【発明の開示】
【発明が解決しようとする課題】
【０００５】
しかし、一般家庭のリビングに配置されたテレビや、社員寮のロビー等に配置されたテレビに上記の装置を取り付ける場合、同一のテレビを見ている他の閲覧者に、発信番号に対応する情報を見られてしまい、着信に応答する者のプライバシーが保たれない場合があった。
【０００６】
そこで本発明は、上記の課題を解決することのできる着信通知装置、電子メール受信通知装置、着信通知システム、着信通知方法、およびプログラムを提供することを目的とする。例えば、着信があった場合に、着信の発信者に関する情報を表示しないようにする。
【課題を解決するための手段】
【０００７】
上記課題を解決するために、本発明の着信通知装置は、着信の宛先に関する情報をテレビに表示させるようにする。
【０００８】
例えば、所定の電話端末への電話着信を、受信側の電話端末のユーザに通知する着信通知装置であって、受信側の電話端末のユーザに関する情報を表示情報として、発信側の電話端末の電話番号に対応付けて格納する表示情報格納部と、通信回線を介して発信側の電話端末の電話番号を受信する電話番号受信部と、電話番号受信部が受信した電話番号に基づいて表示情報格納部を参照し、電話番号受信部が受信した電話番号に対応する表示情報を抽出する表示情報抽出部と、表示情報抽出部が抽出した表示情報を、表示装置に表示させる表示制御部とを備えることを特徴とする着信通知装置を提供する。
【発明の効果】
【０００９】
本発明によれば、電話に着信があった場合に、当該着信に応答する者に関する情報を表示させるので、当該着信が誰からのものであるかという情報をテレビ等の表示装置を閲覧している他の者に隠すことができ、当該着信に応答する者のプライバシーを保つことができる。
【発明を実施するための最良の形態】
【００１０】
以下、本発明の第１実施形態について説明する。
【００１１】
図１は、本発明の第１実施形態に係る通信システム１０ａの構成を示す。通信システム１０は、表示装置１１、画像出力装置１２、着信通知装置２０ａ、および複数の電話機１６を備える。
【００１２】
表示装置１１は、例えばＣＲＴ（Ｃａｔｈｏｄｅ  Ｒａｙ  Ｔｕｂｅ）ディスプレイやＬＣＤ（Ｌｉｑｕｉｄ  Ｃｒｙｓｔａｌ  Ｄｉｓｐｌａｙ）等であり、一般家庭のリビングや社員寮のロビー等の、複数の者に同時に閲覧される場所に設けられる。画像出力装置１２は、例えばテレビジョン放送受信機であり、テレビジョン信号を受信し、受信したテレビジョン信号から映像信号（例えばＲＧＢ信号）を抽出し、抽出した映像信号を、着信通知装置２０を介して表示装置１１へ送ることにより、当該映像信号に基づく画像を表示装置１１に表示させる。他の例として、画像出力装置１２は、ＶＴＲや、ＤＶＤプレーヤ、ＣＡＴＶ受信機、ＴＶゲーム機等であってもよい。
【００１３】
それぞれの電話機１６は、着信通知装置２０ａおよび電話網１４を介し、電話方式に基づいて、他の電話機１６と通信を行う。電話機１６ａは、例えば一般家庭や社員寮等の、複数の者が利用可能な場所に設けられる。
【００１４】
着信通知装置２０ａは、表示装置１１に表示させる画像を画像出力装置１２から取得し、電話網１４を介して、電話機１６ｂから電話機１６ａへの着信がない場合には、画像出力装置１２から取得した画像を加工することなく表示装置１１に表示させる。一方、電話網１４を介して、電話機１６ｂから電話機１６ａへの着信があった場合には、着信通知装置２０ａは、電話機１６ｂが電話機１６ａへ送信した電話機１６ｂの電話番号を取得する。そして、着信通知装置２０ａは、取得した電話機１６ｂの電話番号に対応付けられた情報であって、当該着信の宛先に関する情報である表示情報を、画像出力装置１２から取得した画像に、例えばスーパーインポーズと呼ばれる技術により切り替えまたは合成し、切り替えまたは合成した画像を表示装置１１に表示させる。
【００１５】
これにより、着信通知装置２０ａは、電話機１６ａに誰宛の着信があったのかという情報を、表示装置１１を介して、当該表示装置１１の閲覧者に通知することができる。このとき、着信通知装置２０は、発信側の電話機１６ｂの電話番号や発信側の電話機１６ｂのユーザに関する情報を表示装置１１に表示させないので、当該着信がどの電話機１６からのものであるのか、あるいは、当該着信がどの電話機１６のユーザからのものであるのかという情報を、他の閲覧者に隠すことができる。従って、当該着信に応答すべき者のプライバシーを保つことができる。
【００１６】
なお、電話網１４は、アナログ電話網や、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のディジタル通信網、アナログまたはディジタル携帯電話網、さらにはＩＰ（Ｉｎｔｅｒｎｅｔ  Ｐｒｏｔｏｃｏｌ）網等が適用可能である。また、電話機１６ａは、前記の各通信網に対応した電話機であって、通常の電話機以外に、ＰＣ（Ｐｅｒｓｏｎａｌ  Ｃｏｍｐｕｔｅｒ）を用いたソフトフォン等であってもよい。
【００１７】
また、他の例として、電話機１６ａに代えて、ＰＢＸ（Ｐｒｉｖａｔｅ  Ｂｒａｎｃｈ  Ｅｘｃｈａｎｇｅ）を接続し、当該ＰＢＸに複数の電話機１６を接続する構成としてもよい。この場合、例えば社員寮等において、それぞれの電話機１６は、社員寮のそれぞれの部屋に設けられる。これにより、ロビーにある表示装置１１を閲覧している間に自分の部屋の電話機１６に着信があった場合に、当該電話機１６のユーザは、自身のプライバシーを保ちながら、ロビーにいながらにして当該着信を知ることができる。
【００１８】
図２は、本発明の第１実施形態に係る着信通知装置２０ａの詳細な機能構成を示すブロック図である。着信通知装置２０ａは、表示制御部２００、表示情報抽出部２０２、電話番号受信部２０４、信号分配部２０６、および表示情報格納部２０８を備える。信号分配部２０６は、電話網１４を介して、外部から電話機１６ａへ送信される信号を電話機１６ａおよび電話番号受信部２０４へ分配する。
【００１９】
表示情報格納部２０８は、受信側の電話機１６ａのユーザに関する情報である表示情報を、発信側の電話機１６ｂの電話番号に対応付けて予め格納している。電話番号受信部２０４は、電話網１４を介して、着信側の電話機１６ａと発信側の電話機１６ｂと間の着信シーケンスの中で、電話機１６ｂから送信される電話機１６ｂの電話番号を示す信号を受信し、電話機１６ｂの電話番号を取得する。
【００２０】
表示情報抽出部２０２は、電話番号受信部２０４が取得した電話機１６ｂの電話番号に基づいて表示情報格納部２０８を参照し、当該電話機１６ｂの電話番号に対応する表示情報を表示情報格納部２０８から抽出し、抽出した表示情報を表示制御部２００へ送信する。表示制御部２００は、表示装置１１に表示させる画像を画像出力装置１２から取得し、表示情報抽出部２０２から表示情報を送信されていない場合には、画像出力装置１２から取得した画像を加工することなく表示装置１１に表示させる。一方、表示情報抽出部２０２から表示情報を送信された場合には、表示情報抽出部２０２から受信した表示情報と、画像出力装置１２から取得した画像とを切り替えまたは画像合成処理し（例えばスーパーインポーズと呼ばれる技術が適用可能）、切り替えまたは画像合成処理した表示画像を表示装置１１に表示させる。
【００２１】
図３は、本発明の第１実施形態において、表示情報格納部２０８に格納されるデータの構造の一例を示す。表示情報格納部２０８は、発信側の電話機１６の電話番号である電話番号２０８２を、着信の宛先を示す情報である表示情報２０８０に対応付けて予め格納している。表示情報格納部２０８を参照することにより、表示情報抽出部２０２は、発信側の電話機１６の電話番号に基づいて、表示装置１１に表示すべき着信の宛先に関する情報を表示させることができる。
【００２２】
なお、他の例として、表示情報格納部２０８は、それぞれの電話番号に対応付けて、当該電話番号に対応する電話機１６からの着信の重要度をさらに格納してもよい。この場合、表示情報抽出部２０２は、当該重要度に応じて、表示情報を点滅させて表示させたり、表示情報を赤色で表示させたりすることにより、同一の表示情報を発信側の電話機１６ｂの電話番号に応じて変化させてもよい。
【００２３】
図４は、本発明の第１実施形態に係る通信システム１０ａの動作の一例を示すシーケンス図である。まず、電話網１４から着信があると、着信通知装置２０ａを介して、電話機１６ａは、電話機１６ａとの間で着信処理を行う（Ｓ１００）。ステップ１００では、例えば、電話網１４がアナログ電話方式の場合、電話機１６ａは、Ｌ１、Ｌ２の極性が反転されたことを検出した後に、電話網１４に設けられた交換機からＣＡＲ（情報受信端末起動信号）を受信し、１次応答を当該交換機へ返信する等の処理を行う。
【００２４】
次に、電話番号受信部２０４は、信号分配部２０６を介して、電話網１４内の交換機から、発信側の電話機１６ｂから送信される電話機１６ｂの電話番号を示す信号を受信し（Ｓ１０２）、電話機１６ｂの電話番号を取得する（Ｓ１０４）。信号分配部２０６は、電話網１４内の交換機から受信した信号を電話機１６ａへ転送する（Ｓ１０６）。その後、電話機１６ａは、着信通知装置２０および電話網１４を介して、受信完了応答を交換機へ送信する。そして、電話機１６ａは、交換機から呼び出し信号を受信して、呼び出し音を発生する。
【００２５】
次に、表示情報抽出部２０２は、電話番号受信部２０４が取得した電話機１６ｂの電話番号に基づいて表示情報格納部２０８を参照し、当該電話機１６ｂの電話番号に対応する表示情報を抽出し、抽出した表示情報を表示制御部２００へ送信する（Ｓ１０８）。次に、表示制御部２００は、表示装置１１に表示させる画像を画像出力装置１２から取得し、表示情報抽出部２０２から受信した表示情報を、画像出力装置１２から取得した画像信号に切り替えまたは合成することにより着信画像を生成する（Ｓ１１０）。
【００２６】
次に、表示制御部２００は、生成した着信画像を表示装置１１へ送信する（Ｓ１１２）。表示装置１１は、表示制御部２００から受信した着信画像を表示する（Ｓ１１４）。その後、当該着信に応答する者によって電話機１６ａの受話器が上げられることにより、電話機１６ａは、交換機へオフフックを送信し（Ｓ１１６）、電話機１６ａは、着信通知装置２０および電話網１４内の交換機を介して、電話機１６ｂと通話を開始する（Ｓ１１８）。
【００２７】
なお、表示制御部２００は、画像出力装置１２からの画像を表示装置１１に送ることにより表示装置１１に画像を表示させており、ステップ１１２において、表示制御部２００は、表示情報抽出部２０２から表示画像を受信した場合に、予め定められた期間だけ表示情報が切り替えまたは合成された画像を表示装置１１に表示させ、その後は、表示画像が切り替えまたは合成されていない画像を表示装置１１に表示させる。
【００２８】
以上、本発明の第１の実施の形態について説明した。上記説明から明らかなように、本発明の着信通知装置２０ａによれば、電話機１６ｂの電話番号や電話機１６ｂのユーザに関する情報を表示装置１１に表示させないので、当該着信がどの電話機１６からのものであるのか、あるいは、当該着信がどの電話機１６のユーザからのものであるのかという情報を、他人に隠すことができる。従って、当該着信に応答すべき者のプライバシーを保つことができる。
【００２９】
なお、発信側の電話機１６ｂから着信と共に発信者の電話番号が通知されない場合には、着信通知装置２０ａは、電話着信があった旨を表示装置１１に表示させてよい。
【００３０】
次に、第２の実施の形態について説明する。
【００３１】
図５は、本発明の第２実施形態に係る通信システム１０ｂの構成を示す。通信システム１０は、表示装置１１、画像出力装置１２、電話網１４、ＩＰ通信網１５、着信通知装置２０ｂ、複数の電話機１６、複数のＦＡＸ端末１７、複数のＩＰ電話機１８、および複数のコンピュータ１９を備える。なお、以下に説明する点を除き、図５において、図１と同じ符号を付した構成は、図１における構成と同一または同様の機能を有するため説明を省略する。
【００３２】
それぞれのＦＡＸ端末１７は、着信通知装置２０ｂおよび電話網１４を介して他のＦＡＸ端末１７とＦＡＸの送受信を行う。それぞれのＩＰ電話機１８は、着信通知装置２０ｂおよびＩＰ通信網１５を介して他のＩＰ電話機１８との間でＶｏＩＰ（Ｖｏｉｃｅ  ｏｖｅｒ  ＩＰ）に基づく通信を行う。それぞれのコンピュータ１９は、着信通知装置２０ｂおよびＩＰ通信網１５を介して他のコンピュータ１９と電子メールの送受信を行う。なお、本例において、着信通知装置２０ｂは、電話機１６ａとＩＰ電話機１８ｂとを、ＩＰ通信網１５を介して、ＶｏＩＰに基づいて通信させることができる。
【００３３】
以下、本実施形態において、通信システム１０ｂが取り扱うＶｏＩＰに基づく通信として、ＳＩＰ（Ｓｅｓｓｉｏｎ  Ｉｎｉｔｉａｔｉｏｎ  Ｐｒｏｔｏｃｏｌ）を例に説明する。なお、通信システム１０ｂが取り扱うＶｏＩＰに基づく通信は、ＳＩＰに限られず、Ｈ．３２３やＭＧＣＰ（Ｍｅｄｉａ  Ｇａｔｅｗａｙ  Ｃｏｎｔｒｏｌ  Ｐｒｏｔｏｃｏｌ）、ＭＥＧＡＣＯ／Ｈ．２４２（Ｍｅｄｉａ  Ｇａｔｅｗａｙ  Ｃｏｎｔｒｏｌ  Ｐｒｏｔｏｃｏｌ）等であってもよい。
【００３４】
電話機１６ａ、ＦＡＸ端末１７ａ、ＩＰ電話機１８ａ、コンピュータ１９ａは、例えば一般家庭や社員寮等の、複数の者が利用可能な場所に設けられる。なお、電話機１６ａおよびＦＡＸ端末１７ａは、着信通知装置２０ｂにＰＢＸを接続し、当該ＰＢＸに複数の電話機１６ａおよび複数のＦＡＸ端末１７ａを接続するように構成してもよい。また、着信通知装置２０ｂにＨＵＢを接続し、当該ＨＵＢに複数のＩＰ電話機１８ａおよび複数のコンピュータ１９ａを接続するように構成してもよい。
【００３５】
着信通知装置２０ｂは、表示装置１１に表示させる画像を画像出力装置１２から取得し、電話機１６ａもしくはＩＰ電話機１８ａへの着信、またはＦＡＸ端末１７ａへのＦＡＸの到着もしくはコンピュータ１９ａへの電子メールの到着があった場合には、着信通知装置２０は、発信側の機器の電話番号や電子メールアドレス等の情報を取得する。そして、着信通知装置２０は、取得した情報に対応付けられた表示情報を、画像出力装置１２から取得した画像に、例えばスーパーインポーズを用いて切り替えまたは合成し、切り替えまたは合成した画像を表示装置１１に表示させる。
【００３６】
図６は、本発明の第２実施形態に係る着信通知装置２０ｂの詳細な機能構成を示すブロック図である。着信通知装置２０ｂは、表示制御部２００、表示情報抽出部２０２、電話番号受信部２０４、表示情報格納部２０８、ＦＡＸ番号受信部２１０、接続制御部２１２、ＳＩＰ処理部２１４、ＶｏＩＰ処理部２１６、ＩＰ電話番号受信部２１８、電子メールアドレス抽出部２２０、および接続制御部２２２を備える。なお、以下に説明する点を除き、図６において、図２と同じ符号を付した構成は、図２における構成と同一または同様の機能を有するため説明を省略する。
【００３７】
接続制御部２１２は、電話網１４を介して電話機１６ｂから電話機１６ａ宛てに送信された信号を、電話機１６ａおよび電話番号受信部２０４へ送信すると共に、電話機１６ａから電話機１６ｂ宛てに送信された信号を、電話網１４を介して電話機１６ｂへ送信する。また、接続制御部２１２は、電話網１４を介してＦＡＸ端末１７ｂからＦＡＸ端末１７ａへ送信された信号を、ＦＡＸ端末１７ａおよびＦＡＸ番号受信部２１０へ送信すると共に、ＦＡＸ端末１７ａからＦＡＸ端末１７ｂ宛てに送信された信号を、電話網１４を介してＦＡＸ端末１７ｂへ送信する。
【００３８】
なお、接続制御部２１２は、着信通知装置２０ｂに接続されており、異なる番号が割り当てられた電話機１６やＦＡＸ端末１７の台数分の接続回線を、電話網１４に設けられた交換機との間に有する。そして、接続制御部２１２は、電話機１６ａに割り当てられた電話番号に対応する接続回線を介して信号を受信した場合に、受信した信号を電話番号受信部２０４へ送る。一方、ＦＡＸ端末１７ａに割り当てられたＦＡＸ番号に割り当てられた接続回線を介して信号を受信した場合に、受信した信号をＦＡＸ番号受信部２１０へ送る。
【００３９】
接続制御部２２２は、ＩＰ通信網１５を介して、発信側のＩＰ電話機１８ｂからＩＰ電話機１８ａ宛てに送信されたＩＮＶＩＴＥリクエストを、ＩＰ電話機１８ａおよびＩＰ電話番号受信部２１８へ送信すると共に、ＩＰ電話機１８ａからＩＰ電話機１８ｂ宛てに送信されたＩＮＮＶＩＴＥリクエストを含むＳＩＰに基づく信号を、画像出力装置１３を介してＩＰ電話機１８ｂへ送信する。また、接続制御部２２２は、ＩＰ通信網１５を介してＩＰ通信網１５内のメールサーバからコンピュータ１９ａ宛の電子メールを取得し、コンピュータ１９ａおよび電子メールアドレス抽出部２２０へ送信すると共に、コンピュータ１９ａからコンピュータ１９ｂ宛てに送信された信号を、ＩＰ通信網１５内のメールサーバへ送信する。
【００４０】
さらに、接続制御部２２２は、外部のＩＰ電話機１８ｂから電話機１６ａ宛のＩＮＶＩＴＥリクエストを受信した場合に、受信したＩＮＶＩＴＥリクエストをＩＰ電話番号受信部２１８およびＳＩＰ処理部２１４へ送ると共に、ＳＩＰ処理部２１４から外部のＩＰ電話機１８ｂ宛てに送信されるメッセージを、ＩＰ通信網１５を介してＩＰ電話機１８ｂへ送信する。また、接続制御部２２２は、外部のＩＰ電話機１８ｂからＩＮＶＩＴＥリクエストに続く、電話機１６ａ宛の音声信号を含むパケットを受信し、受信した当該パケットをＶｏＩＰ処理部２１６へ送ると共に、ＶｏＩＰ処理部２１６が生成した、電話機１６ａの音声信号を含むパケットを、ＩＰ通信網１５を介してＩＰ電話機１８ｂへ送信する。
【００４１】
ＳＩＰ処理部２１４は、外部のＩＰ電話機１８ｂから接続制御部２２２を介して取得したＳＩＰメッセージを、電話機１６ａに対する呼の確立に用いられる信号に変換して、接続制御部２１２を介して電話機１６ａへ送信すると共に、電話機１６ａが送信した、呼制御にかかわる信号をＳＩＰメッセージに変換して接続制御部２２２を介して外部のＩＰ電話機１８ｂへ送信する。
【００４２】
ＶｏＩＰ処理部２１６は、外部のＩＰ電話機１８ｂから接続制御部２２２を介して、音声信号を含むパケットを受信し、受信したパケットから音声信号を取り出して、取り出した音声信号を、接続制御部２１２を介して電話機１６ａへ送信すると共に、電話機１６ａが送信した音声信号を、接続制御部２１２を介して電話機１６ａから取得し、取得した音声信号をパケットに変換し、接続制御部２２２を介して外部のＩＰ電話機１８ｂへ送信する。
【００４３】
表示情報格納部２０８は、表示情報を、発信側の電話機１６ｂの電話番号、発信側のＦＡＸ端末１７ｂのＦＡＸ番号、発信側のＩＰ電話機１８ｂのＩＰ電話番号、および発信側のコンピュータ１９ｂに設定された電子メールアドレスの中の少なくとも１つの情報に対応付けて予め格納している。電話番号受信部２０４は、接続制御部２１２および電話網１４を介して、電話機１６ｂから送信される、電話機１６ｂの電話番号を示す信号を受信し、電話機１６ｂの電話番号を取得する。
【００４４】
ＦＡＸ番号受信部２１０は、接続制御部２１２および電話網１４を介して、ＦＡＸ端末１７ａとＦＡＸ端末１７ｂと間の着信シーケンスの中で、ＦＡＸ端末１７ｂから送信されるＦＡＸ端末１７ｂのＦＡＸ番号を示す信号であるＴＳＩ信号（送信局識別信号）を受信し、受信したＴＳＩ信号から発信側のＦＡＸ端末１７ｂのＦＡＸ番号を取得する。
【００４５】
ＩＰ電話番号受信部２１８は、接続制御部２２２およびＩＰ通信網１５を介して、ＩＰ電話機１８ａとＩＰ電話機１８ｂと間のＳＩＰに基づく着信シーケンスの中で、ＩＰ電話機１８ｂから送信されるＩＮＶＩＴＥリクエストを受信し、受信したＩＮＶＩＴＥリクエストに含まれる発信側のＩＰ電話機１８ｂのＳＩＰ−ＵＲＩ（Ｕｎｉｆｏｒｍ  Ｒｅｓｏｕｒｃｅ  Ｉｄｅｎｔｉｆｉｅｒ）であるＩＰ電話番号を取得する。
【００４６】
電子メールアドレス抽出部２２０は、接続制御部２２２を介して、ＩＰ通信網１５内に設けられたメールサーバからＰＯＰ（Ｐｏｓｔ  Ｏｆｆｉｃｅ  Ｐｒｏｔｏｃｏｌ）に基づく電子メールの受信シーケンスの中で、コンピュータ１９ａが受信する電子メールのヘッダおよび本文を受信し、受信した電子メールのヘッダに含まれる、発信側のコンピュータ１９に設定された電子メールアドレスを取得する。
【００４７】
また、電子メールアドレス抽出部２２０は、電子メールのヘッダと共に受信した電子メールの本部を参照して、電話番号、ＦＡＸ番号、またはＩＰ電話番号の抽出を試みる。電話番号、ＦＡＸ番号、またはＩＰ電話番号を抽出することができた場合、電子メールアドレス抽出部２２０は、抽出した電話番号、ＦＡＸ番号、またはＩＰ電話番号を、当該電子メールの発信側のＦＡＸ端末１７のアドレスと共に表示情報抽出部２０２へ送る。
【００４８】
ここで、電子メールアドレス抽出部２２０は、電子メールの本文中に、例えば、全角、半角、大文字、または小文字を区別しない「ＴＥＬ」や「電話番号」等の文字列の検出を試み、当該文字列を検出できた場合に、当該文字列に続く１０桁の数字を電話番号として抽出する。また、電子メールアドレス抽出部２２０は、電子メールの本文中に、例えば、全角、半角、大文字、または小文字を区別しない「ＦＡＸ」等の文字列を検出できた場合に、当該文字列に続く１０桁の数字をＦＡＸ番号として抽出する。さらに、電子メールアドレス抽出部２２０は、電子メールの本文中に、例えば、全角または半角を区別しない「０５０」等の文字列を検出できた場合に、当該文字列に続く７桁の数字をＩＰ電話番号として抽出する。
【００４９】
表示情報抽出部２０２は、電話番号受信部２０４が取得した電話機１６ｂの電話番号、ＦＡＸ番号受信部２１０が取得したＦＡＸ端末１７ｂのＦＡＸ番号、ＩＰ電話番号受信部２１８が取得したＩＰ電話機１８ｂのＩＰ電話番号、および電子メールアドレス抽出部２２０が取得したコンピュータ１９ｂの電子メールアドレスに基づいて表示情報格納部２０８を参照し、対応する表示情報を抽出し、抽出した表示情報を表示制御部２００へ送信する。
【００５０】
図７は、本発明の第２実施形態において、表示情報格納部２０８に格納されるデータの構造の一例を示す。表示情報格納部２０８は、発信側の電話機１６の電話番号である電話番号２０８２、発信側のＦＡＸ端末１７のＦＡＸ番号２０８４、発信側のＩＰ電話機１８のＳＩＰ−ＵＲＩであるＩＰ電話番号２０８６、および発信側のコンピュータ１９に設定された電子メールアドレス２０８８を、着信の宛先を示す情報である表示情報２０８０に対応付けて格納している。
【００５１】
表示情報格納部２０８を参照することにより、表示情報抽出部２０２は、電話番号受信部２０４が取得した電話機１６ｂの電話番号、ＦＡＸ番号受信部２１０が取得したＦＡＸ端末１７ｂのＦＡＸ番号、ＩＰ電話番号受信部２１８が取得したＩＰ電話機１８ｂのＩＰ電話番号、および電子メールアドレス抽出部２２０が取得したコンピュータ１９ｂの電子メールアドレスに基づいて、表示すべき着信の宛先に関する情報を表示装置１１に表示させることができる。
【００５２】
図８は、本発明の第２実施形態において、ＦＡＸの受信を通知する場合の通信システム１０ｂの動作の一例を示すシーケンス図である。まず、発信側のＦＡＸ端末１７ｂは、電話網１４および着信通知装置２０ｂを介して、ＦＡＸ端末１７ａへＦＡＸを着信させる処理を行う（Ｓ２００）。ステップ２００では、例えば、電話網１４内の交換機から送信される１３００Ｈｚまたは１６Ｈｚの呼び出し信号を受信して、ＦＡＸ端末１７ａは、応答信号および１１００Ｈｚの発呼トーン（ＣＮＧ）を当該交換機へ返信する。次に、ＦＡＸ端末１７ａは、ディジタル識別信号（ＤＩＳ）、非呼局確認信号（ＣＳＩ）、非標準装置（ＮＳＦ）等の制御信号を当該交換機へ送信し、当該交換機からディジタル命令信号（ＤＣＳ）を受信する。なお、ＦＡＸ端末１７ａが通信網１４に対してＴＳＩ信号を転送する場合には、着番号または情報要素識別信号に、「００３５０１」もしくは「００３５０２」、または「１６２」もしくは「１６３」を設定することが必須となる。なお、本例では、ＦＡＸを送信する場合に、ＴＳＩ信号に発信側のＦＡＸ端末１７のＦＡＸ番号を設定することを仮定している。
【００５３】
次に、ＦＡＸ番号受信部２１０は、接続制御部２１２を介して、電話網１４内の交換機より、ＦＡＸ端末１７ｂから送信されるＦＡＸ端末１７ｂのＦＡＸを示す信号であるＴＳＩ信号を受信する（Ｓ２０２）。そして、ＦＡＸ番号受信部２１０は、受信したＴＳＩ信号からＦＡＸ端末１７ｂのＦＡＸ番号を取得する（Ｓ２０４）。接続制御部２１２は、電話網１４内の交換機から受信したＴＳＩ信号をＦＡＸ端末１７ａへ転送する（Ｓ２０６）。
【００５４】
次に、表示情報抽出部２０２は、ＦＡＸ番号受信部２１０が取得したＦＡＸ端末１７ｂのＦＡＸ番号に基づいて表示情報格納部２０８を参照し、当該ＦＡＸ端末１７ｂのＦＡＸ番号に対応する表示情報を抽出し、抽出した表示情報を表示制御部２００へ送信する（Ｓ２０８）。次に、表示制御部２００は、表示装置１１に表示させる画像を画像出力装置１２から取得し、表示情報抽出部２０２から受信した表示情報を、画像出力装置１２から取得した画像信号に切り替えまたは合成することにより着信画像を生成する（Ｓ２１０）。次に、表示制御部２００は、生成した着信画像を表示装置１１へ送信することにより、表示装置１１に当該着信画像を所定期間表示させる（Ｓ２１２）。表示装置１１は、表示制御部２００から受信した着信画像を表示する（Ｓ２１４）。その後、ＦＡＸ端末１７ａは、着信通知装置２０および電話網１４を介して、外部のＦＡＸ端末１７ｂからＦＡＸデータを受信する。
【００５５】
なお、受信したＴＳＩ信号に格納されたＦＡＸ番号に対応する表示情報が存在しない場合、または受信したＴＳＩ信号にＦＡＸ番号として無効な番号が格納されている場合には、表示情報抽出部２０２は、ＦＡＸ着信があった旨を表示装置１１に表示させてよい。
【００５６】
図９は、本発明の第２実施形態において、ＩＰ電話機１８ａ宛てのＩＰ電話の着信を通知する場合の通信システム１０ｂの動作の一例を示すシーケンス図である。まず、発信側のＩＰ電話機１８ｂは、ＩＰ通信網１５を介して着信通知装置２０へ、ＩＰ電話機１８ａ宛のＩＮＶＩＴＥリクエストを送信する（Ｓ３００）。次に、ＩＰ電話番号受信部２１８は、受信したＩＮＶＩＴＥリクエストからＩＰ電話機１８ｂのＩＰ電話番号を取得する（Ｓ３０２）。接続制御部２２２は、ＩＰ電話機１８ｂから受信したＩＮＶＩＴＥリクエストをＩＰ電話機１８ａへ転送する（Ｓ３０４）。
【００５７】
次に、表示情報抽出部２０２は、ＩＰ電話番号受信部２１８が取得したＩＰ電話機１８ｂのＩＰ電話番号に基づいて表示情報格納部２０８を参照し、当該ＩＰ電話機１８ｂのＩＰ電話番号に対応する表示情報を抽出し、抽出した表示情報を表示制御部２００へ送信する（Ｓ３０６）。次に、表示制御部２００は、表示装置１１に表示させる画像を画像出力装置１２から取得し、表示情報抽出部２０２から受信した表示情報を、画像出力装置１２から取得した画像信号に切り替えまたは合成することにより着信画像を生成し（Ｓ３０８）、生成した着信画像を表示装置１１へ送信することにより、表示装置１１に当該着信画像を所定期間表示させる（Ｓ３１０）。
【００５８】
表示装置１１は、表示制御部２００から受信した着信画像を表示する（Ｓ３１２）。その後、当該着信に応答する者によってＩＰ電話機１８ａの受話器が上げられることにより、ＩＰ電話機１８ａは、接続制御部２２２およびＩＰ通信網１５を介してＩＰ電話機１８ｂへオフフックを送信し（Ｓ３１４）、ＩＰ電話機１８ａは、着信通知装置２０およびＩＰ通信網１５を介して、外部のＩＰ電話機１８ｂとの間でＶｏＩＰに基づく通話を開始する（Ｓ３１６）。
【００５９】
図１０は、本発明の第２実施形態において、電話機１６ａ宛てのＩＰ電話の着信を通知する場合の通信システム１０ｂの動作の一例を示すシーケンス図である。まず、外部のＩＰ電話機１８ｂは、ＩＰ通信網１５を介して着信通知装置２０へ、電話機１６ａ宛のＩＮＶＩＴＥリクエストを送信する（Ｓ４００）。次に、ＩＰ電話番号受信部２１８は、受信したＩＮＶＩＴＥリクエストからＩＰ電話機１８ｂのＩＰ電話番号を取得する（Ｓ４０２）。接続制御部２２２は、ＩＰ電話機１８ｂから受信したＩＮＶＩＴＥリクエストをＳＩＰ処理部２１４へ転送する。ＳＩＰ処理部２１４は、接続制御部２２２から取得したＩＮＶＩＴＥリクエストを呼び出し信号に変換して接続制御部２１２を介して電話機１６ａへ送信する（Ｓ４０４）。
【００６０】
次に、表示情報抽出部２０２は、ＩＰ電話番号受信部２１８が取得したＩＰ電話機１８ｂのＩＰ電話番号に基づいて表示情報格納部２０８を参照し、当該ＩＰ電話機１８ｂのＩＰ電話番号に対応する表示情報を抽出し、抽出した表示情報を表示制御部２００へ送信する（Ｓ４０６）。次に、表示制御部２００は、表示装置１１に表示させる画像を画像出力装置１２から取得し、表示情報抽出部２０２から受信した表示情報を、画像出力装置１２から取得した画像信号に切り替えまたは合成することにより着信画像を生成し（Ｓ４０８）、生成した着信画像を表示装置１１へ送信することにより、表示装置１１に当該着信画像を所定期間表示させる（Ｓ４１０）。表示装置１１は、表示制御部２００から受信した着信画像を表示する（Ｓ４１２）。
【００６１】
その後、当該着信に応答する者によって電話機１６ａの受話器が上げられることにより、電話機１６ａは、オフフックを、接続制御部２１２を介してＳＩＰ処理部２１４へ送る（Ｓ４１４）。ＳＩＰ処理部２１４は、受信したオフフックを、ＳＩＰに規定されるメッセージである「２００  ＯＫ」に変換して、接続制御部２２２を介してＩＰ電話機１８ｂへ送信する（Ｓ４１６）。そして、電話機１６ａとＩＰ電話機１８ｂとは、ＩＰ通信網１５、接続制御部２２２、ＶｏＩＰ処理部２１６、接続制御部２１２を介して通信を行う（Ｓ４１８）。
【００６２】
図１１は、本発明の第２実施形態において、電子メールを受信した旨を通知する場合の通信システム１０ｂの動作の一例を示すシーケンス図である。まず、コンピュータ１９ａは、ＩＰ通信網１５内に設けられたメールサーバに、ＰＯＰに規定されるシーケンスに従って、コンピュータ１９ａ宛ての電子メールを要求する（Ｓ５００）。次に、電子メールアドレス抽出部２２０は、接続制御部２２２を介して当該電子メールのヘッダおよび本文を受信する（Ｓ５０２）。そして、電子メールアドレス抽出部２２０は、当該電子メールのヘッダから発信側のコンピュータ１９ｂに設定されている電子メールアドレスを抽出する（Ｓ５０４）。接続制御部２２２は、ＩＰ通信網１５内のメールサーバから受信した電子メールのヘッダおよび本文をコンピュータ１９ａへ転送する（Ｓ５０６）。
【００６３】
次に、表示情報抽出部２０２は、電子メールアドレス抽出部２２０が取得した発信側のコンピュータ１９ｂの電子メールアドレスに基づいて表示情報格納部２０８を参照し、当該電子メールアドレスに対応する表示情報を抽出し、抽出した表示情報を表示制御部２００へ送信する（Ｓ５０８）。次に、表示制御部２００は、表示装置１１に表示させる画像を画像出力装置１２から取得し、表示情報抽出部２０２から受信した表示情報を、画像出力装置１２から取得した画像信号に切り替えまたは合成することにより着信画像を生成し（Ｓ５１０）、生成した着信画像を表示装置１１へ送信することにより、表示装置１１に当該着信画像を所定期間表示させる（Ｓ５１２）。表示装置１１は、表示制御部２００から受信した着信画像を表示する（Ｓ５１４）。その後、当該電子メールに応答する者によってコンピュータ１９ａが操作されることによって、コンピュータ１９ａは当該電子メールを表示する（Ｓ５１６）。
【００６４】
図１２は、本発明の第２実施形態において、表示情報格納部２０８に情報を追加する場合の着信通知装置２０ｂの動作の一例を示すフローチャートである。まず、表示情報抽出部２０２は、表示情報格納部２０８を参照して、電子メールアドレス抽出部２２０から取得した電子メールアドレスが表示情報格納部２０８内に存在するか否かを判定する（Ｓ６００）。電子メールアドレス抽出部２２０から取得した電子メールアドレスが表示情報格納部２０８内に存在する場合（Ｓ６００：Ｙｅｓ）、表示情報抽出部２０２は、電子メールアドレス抽出部２２０が、電話番号、ＦＡＸ番号、またはＩＰ電話番号を抽出できたか否かを判定する（Ｓ６０２）。電子メールアドレス抽出部２２０が、電話番号、ＦＡＸ番号、およびＩＰ電話番号のいずれも抽出することができなかった場合（Ｓ６０２：Ｎｏ）、本フローチャートに示す着信通知装置２０の動作は終了する。
【００６５】
電子メールアドレス抽出部２２０が、電話番号、ＦＡＸ番号、またはＩＰ電話番号を抽出することができた場合（Ｓ６０２：Ｙｅｓ）、表示情報抽出部２０２は、電子メールアドレス抽出部２２０が抽出することができた電話番号、ＦＡＸ番号、またはＩＰ電話番号を、当該電子メールアドレスに対応する表示情報に対応付けて表示情報格納部２０８に追加し（Ｓ６０４）、本フローチャートに示す着信通知装置２０の動作は終了する。
【００６６】
ステップ６００において、電子メールアドレス抽出部２２０から取得した電子メールアドレスが表示情報格納部２０８内に存在しない場合（Ｓ６００：Ｎｏ）、表示情報抽出部２０２は、電子メールアドレス抽出部２２０が、電話番号、ＦＡＸ番号、またはＩＰ電話番号を抽出できたか否かを判定する（Ｓ６０６）。電子メールアドレス抽出部２２０が、電話番号、ＦＡＸ番号、またはＩＰ電話番号を抽出することができた場合（Ｓ６０６：Ｙｅｓ）、表示情報抽出部２０２は、電子メールアドレス抽出部２２０が抽出した電話番号、ＦＡＸ番号、またはＩＰ電話番号が、表示情報格納部２０８に存在するか否かを判定する（Ｓ６０８）。電子メールアドレス抽出部２２０が抽出した電話番号、ＦＡＸ番号、またはＩＰ電話番号が、表示情報格納部２０８に存在する場合（Ｓ６０８：Ｙｅｓ）、表示情報抽出部２０２は、電子メールアドレスを、当該電話番号、ＦＡＸ番号、またはＩＰ電話番号に対応する表示情報に対応付けて、表示情報格納部２０８に格納し（Ｓ６１０）、本フローチャートに示す着信通知装置２０の動作は終了する。
【００６７】
また、電子メールアドレス抽出部２２０が、電話番号、ＦＡＸ番号、およびＩＰ電話番号のいずれも抽出することができなかった場合（Ｓ６０６：Ｎｏ）、および電子メールアドレス抽出部２２０が抽出した電話番号、ＦＡＸ番号、またはＩＰ電話番号が、表示情報格納部２０８に存在しない場合（Ｓ６０８：Ｎｏ）、本フローチャートに示す着信通知装置２０の動作は終了する。
【００６８】
以上、本発明の第２の実施の形態について説明した。本実施形態においても、発信側の機器の情報や発信側の機器のユーザに関する情報を表示装置１１に表示させないので、当該着信がどの機器からのものであるのか、あるいは、当該着信がどの機器のユーザからのものであるのかという情報を、他人に隠すことができる。従って、当該着信に応答すべき者のプライバシーを保つことができる。
【００６９】
なお、本発明は上記の実施形態に限定されるものではなく、その要旨の範囲内で数々の変形が可能である。
【００７０】
例えば、着信通知装置２０が有する複数の機能ブロックのそれぞれは、ＡＳＩＣ（Application Specific Integrated Circuit）、ＦＰＧＡ（Field Programmable Gate Array）等の集積ロジックＩＣによりハード的に実現されるものでもよく、ＤＳＰ（Digital Signal Processor）や汎用計算機によりソフトウェア的に実現されてもよく、あるいは、部分的にハードウェアまたはソフトウェアで実現させた機能ブロックを組み合わせてもよい。
【図面の簡単な説明】
【００７１】
【図１】本発明の第１実施形態に係る通信システム１０ａの構成を示す図である。
【図２】本発明の第１実施形態に係る着信通知装置２０ａの詳細な機能構成を示すブロック図である。
【図３】本発明の第１実施形態において、表示情報格納部２０８に格納されるデータの構造の一例を示す図である。
【図４】本発明の第１実施形態に係る通信システム１０ａの動作の一例を示すシーケンス図である。
【図５】本発明の第２実施形態に係る通信システム１０ｂの構成を示す図である。
【図６】本発明の第２実施形態に係る着信通知装置２０ｂの詳細な機能構成を示すブロック図である。
【図７】本発明の第２実施形態において、表示情報格納部２０８に格納されるデータの構造の一例を示す図である。
【図８】本発明の第２実施形態において、ＦＡＸの受信を通知する場合の通信システム１０の動作の一例を示すシーケンス図である。
【図９】本発明の第２実施形態において、ＩＰ電話機１８ａ宛てのＩＰ電話の着信を通知する場合の通信システム１０ｂの動作の一例を示すシーケンス図である。
【図１０】本発明の第２実施形態において、電話機１６ａ宛てのＩＰ電話の着信を通知する場合の通信システム１０ｂの動作の一例を示すシーケンス図である。
【図１１】本発明の第２実施形態において、電子メールを受信した旨を通知する場合の通信システム１０ｂの動作の一例を示すシーケンス図である。
【図１２】本発明の第２実施形態において、表示情報格納部２０８に情報を追加する場合の着信通知装置２０ｂの動作の一例を示すフローチャートである。
【符号の説明】
【００７２】
１０・・・通信システム、１１・・・表示装置、１２・・・画像出力装置、１４・・・電話網、１５・・・ＩＰ通信網、１６・・・電話機、１７・・・ＦＡＸ端末、１８・・・ＩＰ電話機、１９・・・コンピュータ、２０・・・着信通知装置、２００・・・表示制御部、２０２・・・表示情報抽出部、２０４・・・電話番号受信部、２０６・・・信号分配部、２０８・・・表示情報格納部、２０８０・・・表示情報、２０８２・・・電話番号、２０８４・・・ＦＡＸ番号、２０８６・・・ＩＰ電話番号、２０８８・・・電子メールアドレス、２１０・・・ＦＡＸ番号受信部、２１２・・・接続制御部、２１４・・・ＳＩＰ処理部、２１６・・・ＶｏＩＰ処理部、２１８・・・ＩＰ電話番号受信部、２２０・・・電子メールアドレス抽出部、２２２・・・接続制御部
【図１】
2006217499.tif 000003
【図２】
2006217499.tif 000004
【図３】
2006217499.tif 000005
【図４】
2006217499.tif 000006
【図５】
2006217499.tif 000007
【図６】
2006217499.tif 000008
【図７】
2006217499.tif 000009
【図８】
2006217499.tif 000010
【図９】
2006217499.tif 000011
【図１０】
2006217499.tif 000012
【図１１】
2006217499.tif 000013
【図１２】
2006217499.tif 000014